(57)【要約】【課題】第１係合爪及び第２係合爪の配置の自由度を向上させる。【解決手段】本発明に係るパチンコ機の錠装置は、表枠の輪郭縦線に沿ってその表枠の裏面に固定される固定板１７と、表枠の輪郭縦線から一定寸法離れた位置で表枠の裏面に対してほぼ直角に立設されており、その表枠の輪郭縦線側が表側となるガイド板１８と、ガイド板１８の表側で固定板１７に取付けられた錠本体２２と、錠本体２２の動作を受け、ガイド板１８の表側でそのガイド板１８に沿って施錠位置から解錠位置までスライドし、表枠の施錠に使用される第１係合爪２０を解錠方向に回動させる第１解錠部材と、錠本体２２の動作を受け、ガイド板１８の表側でそのガイド板１８に沿って施錠位置から解錠位置までスライドし、ガラス枠の施錠に使用される第２係合爪３０を解錠方向に回動させる第２解錠部材とを有しており、第１係合爪２０は、ガイド板１８の表側に配置されており、第２係合爪３０はガイド板１８の裏側に配置されている。【選択図】　　　図１
2004073260.tif 000002
【特許請求の範囲】
【請求項１】
機台枠に対する表枠の施錠と、表枠に対するガラス枠の施錠とを行うパチンコ機の錠装置であって、
前記表枠の回動自由端側において、前記表枠の輪郭縦線に沿ってその表枠の裏面に固定される固定板と、
前記固定板と一体化されて、前記表枠の輪郭縦線から一定寸法離れた位置で前記表枠の裏面に対してほぼ直角に立設されており、その表枠の輪郭縦線側が表側となるガイド板と、
前記ガイド板の表側で前記固定板に取付けられた錠本体と、
前記錠本体の動作を受け、前記ガイド板の表側でそのガイド板に沿って施錠位置から解錠位置までスライドし、前記表枠の施錠に使用される第１係合爪を解錠方向に回動させる第１解錠部材と、
前記錠本体の動作を受け、前記ガイド板の表側でそのガイド板に沿って施錠位置から解錠位置までスライドし、前記ガラス枠の施錠に使用される第２係合爪を解錠方向に回動させる第２解錠部材とを有しており、
前記第１係合爪と前記第２係合爪とのいずれか一方は、前記ガイド板の表側に配置されており、他方は前記ガイド板の裏側に配置されていることを特徴とするパチンコ機の錠装置。
【請求項２】
請求項１に記載されたパチンコ機の錠装置であって、
上下一対の第１係合爪がガイド板の表側に配置されており、同じく上下一対の第２係合爪が前記ガイド板の裏側に配置されており、
前記第１係合爪と第１解錠部材との間に、前記第１解錠部材の動きを前記第１係合爪に伝え、前記第１係合爪の動きを前記第１解錠部材に伝えない構成の不正解錠防止機構が設けられていることを特徴とするパチンコ機の錠装置。
【請求項３】
請求項２に記載されたパチンコ機の錠装置であって、
不正解錠防止機構は、ピンと、そのピンが通される長孔とを有しており、第１解錠部材が施錠位置から解錠位置まで移動するときに、前記ピンと長孔とが係合状態となり、第１係合爪が外力を受けて解錠方向に回動するときに、前記ピンと長孔とが係合解除状態となることを特徴とするパチンコ機の錠装置。
【請求項４】
請求項１に記載されたパチンコ機の錠装置であって、
ガラス枠の下方に設けられた前板を表枠に対して施錠する前板用施錠機構を備えており、
前板用施錠機構は、
裏側からガイド板に装着されており、そのガイド板に沿って施錠位置から解錠位置までスライド可能な構成の第３解錠部材と、
前記第３解錠部材に設けられた爪受け具と、
前記前板の回動自由端側の裏面に固定されており、前記第３解錠部材が施錠位置にあるときに、その第３解錠部材の爪受け具と係合可能に構成されている第３係合爪と、
を有していることを特徴とするパチンコ機の錠装置。
【請求項５】
請求項１から請求項４に記載されたパチンコ機の錠装置であって、
第１係合爪の先端部には、機台枠に対する表枠の施錠の際に前記機台枠の爪受け具に対して摺動する傾斜面がその第１係合爪の端縁を折り曲げることにより形成されていることを特徴とするパチンコ機の錠装置。
【請求項６】
請求項１から請求項４に記載されたパチンコ機の錠装置であって、
第２係合爪の先端部には、表枠に対するガラス枠の施錠の際に前記ガラス枠の爪受け具に対して摺動する傾斜面がその第２係合爪の端縁を折り曲げることにより形成されていることを特徴とするパチンコ機の錠装置。
【請求項７】
請求項４に記載されたパチンコ機の錠装置であって、
第３係合爪の先端部には、表枠に対する前板の施錠の際に第３解錠部材の爪受け具に対して摺動する傾斜面がその第３係合爪の端縁を折り曲げることにより形成されていることを特徴とするパチンコ機の錠装置。
【発明の詳細な説明】
【０００１】
【発明の属する技術分野】
この発明は、機台枠に対する表枠の施錠と、表枠に対するガラス枠の施錠とを行うパチンコ機の錠装置に関する。
【０００２】
【従来の技術】
この種のパチンコ機の錠装置１００は、一般的に、図７に示すように、表枠３の回動自由端側の内側面に沿って縦設されており、機台枠２に対する表枠３の施錠及び表枠３に対するガラス枠５の施錠を行う。
前記錠装置１００は、図８に示すように、固定板１０２とガイド板１０３とによって断面略Ｌ字形に成形された固定基枠１０１を備えている。固定基枠１０１の固定板１０２は、表枠３の輪郭縦線Ｒ（図７参照）に沿ってその表枠３の裏面３ｚに固定されている。また、ガイド板１０３は輪郭縦線Ｒから一定寸法離れた位置で表枠３の裏面３ｚ（固定板１０２）に対してほぼ直角に立設されている。固定板１０２の所定位置には、錠装置１００の解錠に使用されるシリンダ錠１０５が取付けられている。
【０００３】
表枠３の輪郭縦線Ｒとガイド板１０３との間、即ち、ガイド板１０３の表側には、シリンダ錠１０５の動作を受けて、そのガイド板１０３に沿って施錠位置から解錠位置までバネ力に抗してスライドする第１解錠部材１１２が設けられている。第１解錠部材１１２の上下端には、機台枠２に対する表枠３の施錠に使用される第１係合爪１１０が連結されており、それらの第１係合爪１１０が固定板１０２の支持金具１０２ａによって回動可能に支持されている。
また、ガイド板１０３の表側には、シリンダ錠１０５の動作を受けて、そのガイド板１０３に沿って施錠位置から解錠位置までバネ力に抗してスライドするハネ出しプレート１２２及び第２解錠部材１２４が設けられている。第２解錠部材１２４の上下端には、表枠３に対するガラス枠５の施錠に使用される第２係合爪１２０が連結されており、それらの第２係合爪１２０がガイド板１０３の表側でそのガイド板１０３によって回動可能に支持されている。
【０００４】
【発明が解決しようとする課題】
上記したパチンコ機の錠装置によると、表枠３の輪郭縦線Ｒとガイド板１０３との間の狭い範囲内に、第１解錠部材１１２、第１係合爪１１０、ハネ出しプレート１２２、第２解錠部材１２４及び第２係合爪１２０等が配置されるため、係合爪１１０，１２０等の配置の自由度が低い。このため、前記係合爪１１０，１２０が掛けられる機台枠２の爪受け具やガラス枠５の爪受け具の配置が変更された場合に、上記した錠装置１００が使用できなくなることがある。
本発明は、上記課題を解決するためになされたもので、係合爪等の配置の自由度を向上させて、錠装置の汎用性を向上させることを目的とする。
【０００５】
【課題を解決するための手段】
上記した課題は、各々の請求項に記載された発明によって解決される。
請求項１の発明は、機台枠に対する表枠の施錠と、表枠に対するガラス枠の施錠とを行うパチンコ機の錠装置であって、前記表枠の回動自由端側において、前記表枠の輪郭縦線に沿ってその表枠の裏面に固定される固定板と、前記固定板と一体化されて、前記表枠の輪郭縦線から一定寸法離れた位置で前記表枠の裏面に対してほぼ直角に立設されており、その表枠の輪郭縦線側が表側となるガイド板と、前記ガイド板の表側で前記固定板に取付けられた錠本体と、前記錠本体の動作を受け、前記ガイド板の表側でそのガイド板に沿って施錠位置から解錠位置までスライドし、前記表枠の施錠に使用される第１係合爪を解錠方向に回動させる第１解錠部材と、前記錠本体の動作を受け、前記ガイド板の表側でそのガイド板に沿って施錠位置から解錠位置までスライドし、前記ガラス枠の施錠に使用される第２係合爪を解錠方向に回動させる第２解錠部材とを有しており、前記第１係合爪と前記第２係合爪とのいずれか一方は、前記ガイド板の表側に配置されており、他方は前記ガイド板の裏側に配置されていることを特徴とする。
【０００６】
本発明によると、ガイド板の表側、即ち、表枠の輪郭縦線とガイド板との間に配置されるのは、第１係合爪と前記第２係合爪とのいずれか一方であり、他方はガイド板の裏側に配置されている。したがって、表枠の輪郭縦線とガイド板との間の狭い範囲内に第１係合爪及び第２係合爪を配置する場合と比べて、第１係合爪及び第２係合爪の配置の自由度が向上する。したがって、機台枠の爪受け具やガラス枠の爪受け具の配置が変更された場合にも、それらの爪受け具の配置に対して第１係合爪及び第２係合爪の配置を合わせ易くなり、錠装置の汎用性が向上する。
【０００７】
また、請求項２の発明は、上下一対の第１係合爪がガイド板の表側に配置されており、同じく上下一対の第２係合爪が前記ガイド板の裏側に配置されており、前記第１係合爪と第１解錠部材との間に、前記第１解錠部材の動きを前記第１係合爪に伝え、前記第１係合爪の動きを前記第１解錠部材に伝えない構成の不正解錠防止機構が設けられている。このため、上側あるいは下側のいずれか第１係合爪が特殊工具により不正に解錠方向に回動させられても、この動きが第１解錠部材に伝わることがなく、他方の第１係合爪は施錠位置に保持されている。したがって、表枠が機台枠から不正に開かれ難くなる。
また、第２係合爪は、ガイド板の裏側に装着されているため、表枠と機台枠との合わせ目から特殊工具で不正に第２係合爪を回動させようとしても、ガイド板が障壁となって不正行為が成立し難くなる。したがって、第２係合爪と第２解錠部材との間に、特に不正解錠防止機構を設ける必要がなくなる。
【０００８】
ここで、請求項３に示すように、不正解錠防止機構を、ピンと、そのピンが通される長孔とから構成し、第１解錠部材が施錠位置から解錠位置まで移動するときに、前記ピンと長孔とが係合状態となり、第１係合爪が外力を受けて解錠方向に回動するときに、前記ピンと長孔とが係合解除状態となるように構成するのがコスト的に好ましい。
【０００９】
請求項４の発明は、ガラス枠の下方に設けられた前板を表枠に対して施錠する前板用施錠機構を備えており、前板用施錠機構は、裏側からガイド板に装着されており、そのガイド板に沿って施錠位置から解錠位置までスライド可能な構成の第３解錠部材と、前記第３解錠部材に設けられた爪受け具と、前記前板の回動自由端側の裏面に固定されており、前記第３解錠部材が施錠位置にあるときに、その第３解錠部材の爪受け具と係合可能に構成されている第３係合爪とを有している。
即ち、前板用施錠機構の第３解錠部材は裏側からガイド板に装着される構造のため、第１解錠部材、第２解錠部材等との干渉を考慮することなく、比較的自由に第３解錠部材の配置を決定することができる。
【００１０】
また、請求項５から請求項７の発明によると、第１係合爪、第２係合爪、及び第３係合爪の先端部には、施錠の際に爪受け具に対して摺動する傾斜面がそれらの係合爪の端縁を折り曲げることにより形成されている。このため、それらの係合爪の傾斜面が経時的に摩耗し難くなる。
【００１１】
【発明の実施の形態】
以下、図１から図７に基づいて、本発明の実施形態１に係るパチンコ機の錠装置の説明を行う。ここで、図１は本実施形態に係る錠装置を表枠の中央側から見た側面図（図３（Ｂ）のＩＡ−　ＩＡ矢視図）等、図２は図１のＩＩ矢視拡大図等、図３は錠装置を表枠の輪郭縦線側から見た側面図等、図４、図５は錠装置の分解図である。また、図６は本実施形態に係る錠装置を備えるパチンコ機を前方斜視図、図７は同じく後方斜視図である。なお、パチンコ機の幅方向をＸ方向、前後方向をＹ方向、高さ方向をＺ方向として図示する。
【００１２】
パチンコ機１は、図６、図７に示すように、略方形枠状に形成されて本体ケースとなる機台枠２を備えている。機台枠２の前面側には、ヒンジ（図示せず）を介して遊技盤等の支持枠３（以下、表枠３という）が扉状に開閉可能に取付けられている。表枠３は図示されていない遊技盤や制御装置等、パチンコ機の主要部品が取付けられる枠であり、その表枠３の前面にヒンジを介して片開き状にガラス枠５が取付けられている。また、このガラス枠５の下部側に玉受け皿を有する前板６がヒンジを介して片開き状に取付けられている。
【００１３】
機台枠２には、図７に示すように、縦枠２ａの内側面の上下所定位置にその機台枠２の内方に突出する第１爪受け具７が止着されている。第１爪受け具７には、表枠３に取付けられた錠装置１０の上下の第１係合爪２０（図１〜図３等参照）がそれぞれ掛けられようになっている。そして、第１係合爪２０が第１爪受け具７に掛けられた状態で、表枠３は機台枠２に対して施錠される。
図６に示すように、表枠３の表面自由端側を構成する縦枠３ａには、ガラス枠５の上端、下端に対応する位置に一対の長孔３ｂが貫設されており、それらの長孔３ｂから錠装置１０の上下の第２係合爪３０が突出している。
【００１４】
一方、ガラス枠５の自由端側の裏面には、表枠３の自由端側の表面から突出した第２係合爪３０が掛けられる第２爪受け具８が止着されている。そして、第２係合爪３０が第２爪受け具８にそれぞれ掛けられた状態で、ガラス枠５は表枠３に対して施錠される。
表枠３の縦枠３ａには、前板６の上端、下端に対応する位置に一対の長孔３ｆが貫設されており、それらの長孔３ｆに前板６の自由端側の裏面に設けられた第３係合爪９が挿入可能となっている。表枠３の裏側には、長孔３ｆに通された第３係合爪９が掛けられる第３爪受け具６２（図３等参照）が設けられている。
表枠３の上下の長孔３ｆの間には、シリンダ錠２２を取付ける錠取付孔が貫設されている。また、前板６の回動自由端には、表枠３のシリンダ錠２２に対応する位置に、そのシリンダ錠２２との干渉を避けるための切欠き６ｃが設けられている。
【００１５】
錠装置１０は、表枠３に対するガラス枠５の施錠と、機台枠２に対する表枠３の施錠とを行う装置であり、図７に示すように、表枠３の裏面自由端側に縦設されている。錠装置１０は、図４、図５の分解図に示すように、断面略Ｌ字形をした固定基枠１５と、上下の第１係合爪２０を動作させる第１可動錠板２５と、上下の第２係合爪３０を動作させる第２可動錠板３５とを備えている。
ここで、図４は、図３（Ａ）の分解図であり、図５は、図３（Ｂ）の分解図である。
【００１６】
固定基枠１５は、錠装置１０を表枠３の裏面に取付けるとともに第１可動錠板２５及び第２可動錠板３５等をスライド可能に支持する部材であり、固定板１７とガイド板１８とにより断面略Ｌ形に形成されている。固定板１７は、表枠３の輪郭縦線Ｒ（図７参照）に沿ってその表枠３の裏面３ｚに固定されている。また、ガイド板１８は輪郭縦線Ｒから一定寸法離れた位置で表枠３の裏面３ｚ（固定板１７）に対してほぼ直角に立設されている。ここで、表枠３の輪郭縦線Ｒ側（固定板１７側）をガイド板１８の表側と呼ぶことにする。
固定基枠１５の固定板１７の下端部寄りには、図３（Ａ）、（Ｂ）に示すように、シリンダ錠２２が着脱可能に取付けられている。シリンダ錠２２は錠装置１０の解錠を行うための錠であり、そのシリンダ錠２２の回転軸２２ｊの先端に略ブーメラン形状の解錠レバー２３が取付けられている。
【００１７】
解錠レバー２３は、第１解錠片２３ａと第２解錠片２３ｂとから構成されており、第１解錠片２３ａが後述する第１可動錠板２５の掛合突片２６（図３（Ａ）参照）と下方から係合している。このため、シリンダ錠２２がキー操作されて、解錠レバー２３が図３（Ｂ）中左回動すると、第１解錠片２３ａによって第１可動錠板２５が押し上げられる。また、解錠レバー２３の第２解錠片２３ｂは後述する第２可動錠板３５の掛合突片３６に上方から係合している。このため、シリンダ錠２２のキー操作により解錠レバー２３が図３（Ｂ）中右回動すると、第２解錠片２３ｂによって第２可動錠板３５が押し下げられる。
【００１８】
第１可動錠板２５は、ガイド板１８の表側で、そのガイド板１８に沿って上方にスライドすることにより上下の第１係合爪２０を上回動させ、下方にスライドすることによりそれらの第１係合爪２０を下回動させる錠板であり、その第１可動錠板２５が下限位置にあるときに、第１係合爪２０は機台枠２の第１爪受け具７と係合する水平位置（係合位置）に保持される。
【００１９】
第１係合爪２０は上方から機台枠２の第１爪受け具７に掛けられる構成であり、それらの第１係合爪２０の下側先端部に第１爪受け具７と係合する切り欠き２０ｋが形成されている。また、切り欠き２０ｋの位置から第１係合爪２０の先端までは、先端側が高くなるように傾斜した傾斜面２０ｓが形成されている。第１係合爪２０の傾斜面２０ｓは、後記するように、表枠３の施錠をする際に機台枠２の第１爪受け具７に対して摺動する部分であり、その第１係合爪２０の端縁を一定幅でほぼ直角に折り曲げることにより形成される。
【００２０】
各々の第１係合爪２０は、図４等に示すように、その基端部が第１ロックピン２０ｐによって固定板１７に取付けられた上部ガイド金具１７ａ及び下部ガイド金具１７ｂにそれぞれ回動可能な状態で取付けられている（一点鎖線参照）。なお、上部ガイド金具１７ａ及び下部ガイド金具１７ｂには、第１係合爪２０の回動範囲を規制するストッパ１７ｅ，１７ｆが設けられている。
さらに、各々の第１係合爪２０の略中央部が連結ピン２０ｒによって後記する第１可動錠板２５の上部板２７と下部板２９とに連結されている。
【００２１】
第１可動錠板２５は、上部板２７と、中央板２８と、下部板２９とから構成されている。
第１可動錠板２５の上部板２７には、上側の第１係合爪２０が前述の連結ピン２０ｒによって回動可能に連結されており、その上部板２７の下部に上部ピン２７ｐが固定されている。なお、固定基枠１５のガイド板１８には、連結ピン２０ｒに対応する位置に、その連結ピン２０ｒとガイド板１８との干渉を避けるための角形開口１８ｘが形成されている。
第１可動錠板２５の中央板２８は、上部に上縦長孔２８ｕが形成されており、その上縦長孔２８ｕに上部板２８の上部ピン２７ｐが通されている。これによって、第１可動錠板２５の上部板２７と中央板２８とが直列に連結される。
【００２２】
中央板２８には、幅方向端部の略中央に係合突起２８ｋが形成されており、その係合突起２８ｋが固定基枠１５の固定板１７に形成されたガイド受け部１７ｕに嵌め込まれている。ガイド受け部１７ｕは、固定板１７に直角な段差面と、固定板１７に平行なガイド面とを有しており、中央板２８の係合突起２８ｋを上下方向（スライド方向）にガイド可能、かつその係合突起２８ｋの下限ストッパとして動作するように構成されている。
【００２３】
中央板２８の下端部には、後記する下縦長孔２８ｄの下方に開口２８ｈが貫設されており、その開口２８ｈの縦辺の高さ方向ほぼ中央に掛合突片２６が形成されている。そして、掛合突片２６に前述のシリンダ錠２２の第１解錠片２３ａが下方から掛けられるようになっている。
第１可動錠板２５の下部板２９にはその上部寄りに下部ピン２９ｐが固定されており、その下部ピン２９ｐが中央板２８の下縦長孔２８ｄに通されている。これによって、第１可動錠板２５の中央板２８と下部板２９とが直列に連結される。また、下部板２９には、下側の第１係合爪２０が前述の連結ピン２０ｒによって回動可能に連結されている。
さらに、下部板２９には、中央板２８の開口２８ｈに対応する位置に開口２９ｈが形成されている。
【００２４】
第１可動錠板２５の上部板２７及び下部板２９には、それぞれバネ受け２７ｂ，２９ｂが形成されており、そのバネ受け２７ｂ，２９ｂに、それぞれ第１バネ４１、第２バネ４２の一端が掛けられている。そして、第１バネ４１、第２バネ４２の他端が固定基枠１５のバネ受け１７ｘ，１７ｙに掛けられている。第１バネ４１、第２バネ４２は、上部板２７及び下部板２９を引き下げる方向に付勢されている。このため、上下の第１係合爪２０は第１バネ４１及び第２バネ４２の力で機台枠２の第１爪受け具７に掛けられる係合位置（水平位置）に保持されている。
また、この状態で、第１可動錠板２５における上部板２７の上部ピン２７ｐ及び下部板２９の下部ピン２９ｐは、図３（Ａ）に示すように、中央板７８の上縦長孔２８ｕ及び下縦長孔２８ｄの下端面にそれぞれ当接している。
【００２５】
上記構造により、シリンダ錠２２の第１解錠片２３ａによって第１可動錠板２５の中央板２８の掛合突片２６が押上げられると、その中央板２８の上縦長孔２８ｕ及び下縦長孔２８ｄの下端面によって下部ピン２９ｐ、上部ピン２７ｐが押上げられ、上部板２７及び下部板２９は共に第１バネ４１及び第２バネ４２の力に抗して上方にスライドする。これによって、第１係合爪２０は第１ロックピン２０ｐの回りを上方に回動（図３（Ａ）、図４中左回動）し、第１係合爪２０と機台枠２の第１爪受け具７との係合が解除されて、表枠３の解錠が行われる。
即ち、シリンダ錠２２が本発明の錠本体に相当し、第１可動錠板２５が本発明の第１解錠部材に相当する。
【００２６】
第２可動錠板３５は、ガイド板１８の表側で、そのガイド板１８と第１可動錠板２５と間に配置されている。第２可動錠板３５は、ガイド板１８に沿って上方にスライドすることにより第２係合爪３０を上回動させ、下方にスライドすることにより第２係合爪３０を下回動させる。第２係合爪３０は、第２可動錠板３５が上限位置までスライドした段階でほぼ水平位置まで上回動し、ガラス枠５の第２爪受け具８と係合する。
【００２７】
第２係合爪３０は、下方からガラス枠５の第２爪受け具８に掛けられる構成であり、図１（Ａ）、図２等に示すように、ガイド板１８の裏側（固定板１７の反対側）に装着されている。そして、各々の第２係合爪３０の先端部が、図６に示すように、表枠３の長孔３ｂに通されてその表枠３の表面側に突出している。
【００２８】
各々の第２係合爪３０には、表枠３の表面側に突出する部分の上側に、ガラス枠５の第２爪受け具８と係合する切り欠き３０ｋが形成されている。また、切り欠き３０ｋの位置から第２係合爪３０の先端までは、先端側が低くなるように傾斜した傾斜面３０ｓが形成されている。第２係合爪３０の傾斜面３０ｓは、後記するように、ガラス枠５の施錠の際、そのガラス枠５の第２爪受け具８に対して摺動する部分であり、第２係合爪３０の端縁を一定幅でほぼ直角に折り曲げることにより形成される。
【００２９】
各々の第２係合爪３０は、図２等に示すように、その基端部が第２ロックピン３０ｐによって固定基枠１５のガイド板１８にそれぞれ回動可能な状態で取付けられている。そして、各々の第２係合爪３０の略中央部がガイド板１８の開口１８ｈの位置で連結ピン３０ｒによって第２可動錠板３５に連結されている（図４参照）。また、ガイド板１８の裏面には、第２係合爪３０が水平位置まで上回動したときに、その第２係合爪３０が当接する上限ストッパ１８ｓが形成されている。
【００３０】
第２可動錠板３５は、細長い板状に形成されており、その上端部と下端部近傍とに上下の第２係合爪３０がそれぞれ連結ピン３０ｒによって連結されている。第２可動錠板３５には、図４に示すように、固定板１７と反対側の端部中央に解錠レバー３５ｒが形成されており、その解錠レバー３５ｒの下側で固定板１７側の端部にバネ受け３５ｂが設けられている。バネ受け３５ｂには第３バネ４３の一端が掛けられており、その第３バネ４３の他端が固定板１７の中央バネ受け１７ｍに掛けられている。第３バネ４３は、第２可動錠板３５を引き上げる方向に付勢されている。これによって、上下の第２係合爪３０は第３バネ４３の力でガラス枠５の第２爪受け具８に掛けられる係合位置に保持されている。
【００３１】
また、第２可動錠板３５の下端部には、角形の切欠き３７が形成されており、その切欠き３７の縦辺の高さ方向ほぼ中央に掛合突片３６が形成されている。そして、掛合突片３６に前述のシリンダ錠２２の第２解錠片２３ｂが上方から掛けられている。
この構造により、シリンダ錠２２の第２解錠片２３ｂによって第２可動錠板３５の掛合突片３６が押下げられると、第２可動錠板３５は第３バネ４３の力に抗して下方にスライドする。この結果、上下の第２係合爪３０は第２ロックピン３０ｐの回りを下方に回動（図４中左回動）し、第２係合爪３０とガラス枠５の第２爪受け具８との係合が解除されて、ガラス枠５の解錠が行われる。
また、第２可動錠板３５を解錠レバー３５ｒで押し下げても、ガラス枠５の解錠を行なうことができる。
即ち、第２可動錠板３５が本発明の第２解錠部材に相当する。
【００３２】
次に、前板６の施錠に使用される前板施錠機構６０について説明する。
前板施錠機構６０は、図６に示すように、前板６の回動自由端側の裏面に固定された上下の第３係合爪９と、固定基枠１５のガイド板１８に装着された第３可動錠板６５（図４等参照）及び上下の第３爪受け具６２等とから構成されている。
第３係合爪９は、上方から第３爪受け具６２に掛けられる爪であり、それらの第３係合爪９の下側先端部に第３爪受け具６２と係合する切り欠き９ｋが形成されている。また、切り欠き９ｋの位置から第３係合爪９の先端までは、先端側が高くなるように傾斜した傾斜面９ｓが形成されている。傾斜面９ｓは、後記するように、前板６の施錠をする際に第３爪受け具６２に対して摺動する部分であり、第３係合爪９の端縁を一定幅でほぼ直角に折り曲げることにより形成される。
【００３３】
第３可動錠板６５は、図１（Ｂ）等に示すように、上下の長孔＆ピン６７によってガイド板１８の裏側下部に装着されている。これによって、第３可動錠板６５は、長孔の長さ分だけガイド板１８に対して上下スライドが可能となる。第３可動錠板６５の前端面には、前板６の上下の第３係合爪９に対応する位置に上下の第３爪受け具６２が形成されており、第３可動錠板６５が上限位置にある状態で、第３爪受け具６２と第３係合爪９とが係合できるように構成されている。さらに、第３可動錠板６５は第４バネ６９の力で常に上限位置（施錠位置）に保持されている。第３可動錠板６５の上端には、解錠時にその第３可動錠板６５を押し下げるための押し下げレバー６５ｒが設けられている。
【００３４】
前板６の施錠はその前板６を閉じることで自動的に行われる。即ち、前板６を閉じることにより、その前板６の第３係合爪９の傾斜面９ｓが第３爪受け具６２当接し、その傾斜面９ｓに対して第３爪受け具６２が摺動する。この摺動作用により第３爪受け具６２は第３係合爪９から押下力を受け、第３可動錠板６５は第４バネ６９のバネ力に抗して下方にスライドする。そして、第３爪受け具６２が第３係合爪９の傾斜面９ｓから切り欠き９ｋの位置まで到達すると、第４バネ６９の力で第３可動錠板６５が上方にスライドし、第３係合爪９の切り欠き９ｋと第３爪受け具６２とが係合する（図４等参照）。これによって、前板６の施錠が行われる。
また、前板６の解錠は、ガラス枠５が開いた状態で第３可動錠板６５を第４バネ６９の力に抗して手動で押し下げることにより行う。
【００３５】
次に、パチンコ機１の錠装置１０の動作を簡単に説明する。
ガラス枠５の施錠は上記した前板６の場合と同様に、そのガラス枠５を閉じることにより自動的に行われる。即ち、ガラス枠５を閉じることにより、ガラス枠５の第２受け金具８が第２係合爪３０の傾斜面３０ｓに当接し、その傾斜面３０ｓと第２受け金具８とが摺動する。この摺動作用により第２係合爪３０は第２受け金具８から押下力を受け、それらの第２係合爪３０は第３バネ４３の力に抗して下方に回動する。そして、ガラス枠５の第２受け金具８が第２係合爪３０の傾斜面３０ｓから切り欠き３０ｋに到達した状態で、第２係合爪３０は第３バネ４３の力で上方に回動し、その切り欠き３０ｋが第２受け金具８に掛けられる。これによって、ガラス枠５の施錠が行われる。
【００３６】
ガラス枠５の解錠はシリンダ錠２２のキー操作によって行なわれる。即ち、シリンダ錠２２をキー操作して解錠レバー２３を図３（Ｂ）において右回動させることで、その解錠レバー２３の第２解錠片２３ｂが第２可動錠板３５の掛合突片３６を押し下げる。
これによって、第２可動錠板３５が第３バネ４３の力に抗して下方にスライドする。これによって、第２係合爪３０は第２ロックピン３０ｐの回りを下方に回動（図４中左回動）し、第２係合爪３０とガラス枠５の第２受け金具８との係合が解除されて、ガラス枠５の解錠が行われる。
なお、表枠３が開かれた状態で、解錠レバー３５ｒにより第２可動錠板３５を下方にスライドさせても、ガラス枠５の解錠を行なうことができる。
【００３７】
機台枠２に対する表枠３の施錠は、上記したガラス枠５の場合と同様に、その表枠３を閉じることにより自動的に行われる。
表枠３が施錠されている状態で、例えば、下側の第１係合爪２０が特殊工具により解錠方向（上回動方向）の力を受けると、第１係合爪２０は解錠方向に回動するとともに、第１可動錠板２５の下部板２９が上方にスライドする。しかし、第１可動錠板２５の下部板２９が上方にスライドしても、下部板２９の下部ピン２９ｐは中央板２８の下縦長孔２８ｄ内を上方に移動するだけであり、両者２９ｐ，２８ｄは係合しない。このため、第１係合爪３０の回動力は第１可動錠板２５の中央板２８に伝わらない。したがって、第１可動錠板２５の中央板２８は下限位置に保持され、上側の第１係合爪２０も第１バネ４１の力で下限位置に保持される。即ち、下側の第１係合爪２０を不正に解錠しても上側の第１係合爪２０は施錠位置に保持されるため、表枠３を開くことはできない。
【００３８】
同様に、上側の第１係合爪２０を不正に解錠しても、その第１係合爪２０の回動力は第１可動錠板２５の中央板２８に伝わらないため、下側の第１係合爪２０は施錠位置に保持される。したがって、表枠３を開くことはできない。即ち、表枠３を不正に開くためには、上下の第１係合爪２０を同時に特殊工具で解錠しなければならないため、不正行為が成立し難くなる。
即ち、第１可動錠板２５の中央板２８に形成された上縦長孔２８ｕ、下縦長孔２８ｄと、上部板２７の上部ピン２７ｐ、下部板２９の下部ピン２９ｐが本発明の不正解錠防止機構に相当する。
【００３９】
表枠３の解錠はシリンダ錠２２のキー操作により行なわれる。即ち、シリンダ錠２２をキー操作して解錠レバー２３を図３（Ｂ）において左回動させることで、その解錠レバー２３の第１解錠片２３ａが第１可動錠板２５の中央板２８の掛合突片２６を押上げる。これによって、中央板２８の上縦長孔２８ｕ及び下縦長孔２８ｄの下端面によって下部板２９の下部ピン２９ｐ、上部板２７の上部ピン２７ｐが押上げられ、上部板２７及び下部板２９は共に第１バネ４１及び第２バネ４２の力に抗して上方にスライドする。この結果、第１係合爪２０は第１ロックピン２０ｐの回りを上方に回動（図４中左回動）し、第１係合爪２０が機台枠２の第１受け金具７から外され、表枠３の解錠が行われる。
【００４０】
上記したように、本実施形態に係るパチンコ機の錠装置１０によると、ガイド板１８の表側、即ち、表枠３の輪郭縦線Ｒとガイド板１８との間に配置されているのは、第１係合爪２０及び第１可動錠板２５、第２可動錠板３５等であり、第２係合爪３０はガイド板１８の裏側に配置されている。このため、表枠３の輪郭縦線Ｒとガイド板１８との間の狭い範囲内に第１係合爪２０及び第２係合爪３０を共に配置する場合と比べて、第１係合爪２０及び第２係合爪３０の配置の自由度が向上する。したがって、機台枠２の爪受け具７やガラス枠５の爪受け具８の配置が変更された場合にも、それらの爪受け具７，８の配置に対して第１係合爪２０及び第２係合爪３０の配置を合わせ易くなり、錠装置１０の汎用性が向上する。
【００４１】
また、第２係合爪３０は、ガイド板１８の裏側に配置されているため、表枠３と機台枠２との合わせ目から特殊工具で不正に第２係合爪３０を回動させようとしても、ガイド板１８が障壁となって不正行為が成立し難い。したがって、第２係合爪３０と第２可動錠板３５との間に、特に不正解錠防止機構を設けなくても良くなる。
また、前板用施錠機構６０の第３可動錠板６５（第３解錠部材）はガイド板１８の裏側に装着される構造のため、第１可動錠板２５、第２可動錠板３５等との干渉を考慮することなく、比較的自由に第３可動錠板６５の配置を決定することができる。
【００４２】
また、第１係合爪２０、第２係合爪３０、及び第３係合爪９の先端部には、施錠の際に爪受け具７，８，６２に対して摺動する傾斜面２０ｓ，３０ｓ，９ｓがそれらの係合爪２０，３０，９の端縁を一定幅で折り曲げることにより形成されている。このため、それらの係合爪２０，３０，９の傾斜面２０ｓ，３０ｓ，９ｓが経時的に摩耗し難くなる。
【００４３】
【発明の効果】
本発明によると、表枠の輪郭縦線とガイド板との間の狭い範囲内に第１係合爪及び第２係合爪を配置する場合と比べて、第１係合爪及び第２係合爪の配置の自由度が向上する。
【図面の簡単な説明】
【図１】本発明の実施形態１に係るパチンコ機の錠装置を表枠の中央側から見た側面図（Ａ図（図３（Ｂ）のＩＡ−　ＩＡ矢視図））、前板施錠機構を表す側面図（Ｂ図）である。
【図２】図１（Ａ）のＩＩ矢視拡大図（Ａ図）、Ａ図のＢ矢視図（Ｂ図）及びＡ図のＣ矢視図（Ｃ図）である。
【図３】パチンコ機の錠装置を表枠の輪郭縦線側から見た側面図（Ａ図）、及び同錠装置の裏面図（Ｂ図）である。
【図４】同錠装置を表枠の輪郭縦線側から見た側面図の分解図である。
【図５】同錠装置の裏面図の分解図である。
【図６】本実施形態１に係る錠装置を備えるパチンコ機の前方斜視図である。
【図７】パチンコ機の後方斜視図である。
【図８】従来のパチンコ機の錠装置の分解斜視図である。
【符号の説明】
Ｒ　　　輪郭縦線
２　　　機台枠
３　　　表枠
５　　　ガラス枠
６　　　前板
９　　　第３係合爪
９ｓ　　傾斜面
１７　　固定板
１８　　ガイド板
２０　　第１係合爪
２０ｓ　傾斜面
２２　　シリンダ錠（錠本体）
２５　　第１可動錠板（第１解錠部材）
２８ｕ　上縦長孔（不正解錠防止機構）
２８ｄ　下縦長孔（不正解錠防止機構）
２７ｐ　上部ピン（不正解錠防止機構）
２９ｐ　下部ピン（不正解錠防止機構）
３０　　第２係合爪
３０ｓ　傾斜面
３５　　第２可動錠板（第２解錠部材）
６０　　前板用施錠機構
６２　　第３爪受け具
６５　　第３可動錠板
【図１】
2004073260.tif 000003
【図２】
2004073260.tif 000004
【図３】
2004073260.tif 000005
【図４】
2004073260.tif 000006
【図５】
2004073260.tif 000007
【図６】
2004073260.tif 000008
【図７】
2004073260.tif 000009
【図８】
2004073260.tif 000010